(57)【要約】【課題】主信号の通信断を引き起こすことなくアウトオブサービス回線試験を実行可能な回線試験装置および回線試験方法を提供する。【解決手段】試験信号をデータ領域に挿入可能である一方、試験信号をデータ領域から分離可能である挿入／分離装置として設定される伝送装置０２と、挿入／分離装置に直列に接続され、挿入／分離装置から送信された試験信号を折返して挿入／分離装置へ送信可能である折返し装置として設定される伝送装置０３との間で試験信号を送受し伝送装置区間内の回線試験を行なう回線試験方法において、回線試験の実行前に予め回線試験を実行するパスの両端に位置する伝送装置０１，０４のクライアント側ＩＦの光出力停止を行ない、回線試験終了後にクライアント側ＩＦの光出力停止又は不正信号送信による出力制御を解除するようにした。【選択図】図１
2008244715.tif 000002
【特許請求の範囲】
【請求項１】
試験信号をデータ領域に挿入可能である一方、前記試験信号をデータ領域から分離可能である挿入／分離装置として設定される伝送装置と、前記挿入／分離装置に直列に接続され、前記挿入／分離装置から送信された前記試験信号を折返して前記挿入／分離装置へ送信可能である折返し装置として設定される伝送装置との間で試験信号を送受し伝送装置区間内の回線試験を行なう回線試験方法において、
回線試験の実行前に予め回線試験を実行するパスの両端に位置する伝送装置のクライアント側ＩＦの光出力停止又は不正信号送信による出力制御を行ない、
回線試験終了後に前記クライアント側ＩＦの光出力停止又は不正信号送信による出力制御を解除する
ことを特徴とする回線試験方法。
【請求項２】
前記伝送装置と通信可能に構成され、全パスのデータ、及び各パスに属する伝送装置、ＩＦ、入出力ポートのデータを蓄積するパス管理データベース部と、パス管理データベースを参照しながら回線試験を実行可能な回線試験制御部と、各伝送装置と通信するための装置通信部とを具備するオペレーションシステムから、回線試験を実行するパスのクライアント側ＩＦを有する伝送装置に対して、回線試験実行前にクライアント側ＩＦの光出力停止の要求を送信することによって前記クライアント側ＩＦの光出力を停止し、
回線試験終了後に、前記オペレーションシステムから、前記クライアント側ＩＦを有する伝送装置に対して前記クライアント側ＩＦの光出力停止の解除の要求を送信することによってクライアント側ＩＦの光出力の停止を解除し、
回線試験中におけるクライアント側ＩＦの光出力停止もしくは不正信号送信による出力制御を行なう
ことを特徴とする請求項１記載の回線試験方法。
【請求項３】
回線試験の実行前に、回線試験を実行する伝送装置から試験信号の受信方向に対して下流側に向かって制御信号を送信して回線試験を実行するパスの両端に位置する伝送装置のクライアント側ＩＦの光出力を停止し、
回線試験終了後に、前記回線試験を実行する伝送装置による制御信号の送信を停止して回線試験を実行するパスの両端に位置する伝送装置のクライアント側ＩＦの光出力停止を解除し、
回線試験中におけるクライアント側ＩＦの光出力停止もしくは不正信号送信による出力制御を行なう
ことを特徴とする請求項１記載の回線試験方法。
【請求項４】
ネットワーク間を接続する複数の伝送装置を有し、試験信号をデータ領域に挿入可能である一方、前記試験信号をデータ領域から分離可能である挿入／分離装置として設定される伝送装置と、前記挿入／分離装置に直列に接続され、前記挿入／分離装置から送信された前記試験信号を折返して前記挿入／分離装置へ送信可能である折返し装置として設定される伝送装置との間で試験信号を送受してアウトオブサービス回線試験を行なう回線試験装置において、
回線試験の実行前に、クライアント側ＩＦを有する伝送装置に対して、前記クライアント側ＩＦの光出力停止もしくは不正信号送信による出力制御を要求し、
回線試験の終了後に、前記クライアント側ＩＦを有する伝送装置に対して、前記クライアント側ＩＦの光出力停止もしくは不正信号送信による出力制御の解除を要求する制御手段を具備することを特徴とする回線試験装置。
【請求項５】
前記制御手段として、
全パスのデータ、及び各パスに属する伝送装置、ＩＦ、入出力ポートのデータを蓄積するパス管理データベース部と、パス管理データベースを参照しながら回線試験を実行可能な回線試験制御部と、各伝送装置と通信するための装置通信部とを具備し、
前記伝送装置とそれぞれ通信可能であって、
回線試験を実行する前にクライアント側ＩＦを有する伝送装置に対してクライアント側ＩＦの光出力停止を要求として送信し、アウトオブサービス回線試験中は前記挿入／分離装置及び前記折返し装置に対して回線試験実行の要求を送信し、アウトオブサービス回線試験終了後は前記クライアント側ＩＦを有する伝送装置に対してクライアント側ＩＦの光出力停止の解除を要求として送信するオペレーションシステムを備えた
ことを特徴とする請求項４記載の回線試験装置。
【請求項６】
前記制御手段が、前記挿入／分離装置、及び、前記折返し装置に該当する伝送装置に設けられ、
前記挿入／分離装置、及び、前記折返し装置に該当する伝送装置を、回線試験の実行前においては、それぞれ、試験信号の受信方向に対して下流側に位置する伝送装置に向かって、回線試験を行なうパスの両端に位置する伝送装置のクライアント側ＩＦの光出力停止を要求する制御信号を送信し、回線試験の終了後においては、それぞれ、試験信号の受信方向に対して下流側に位置する伝送装置に向かって、回線試験を行なうパスの両端に位置する伝送装置のクライアント側ＩＦの光出力停止の解除を要求する制御信号を送信するように制御する
ことを特徴とする請求項４記載の回線試験装置。
【発明の詳細な説明】
【技術分野】
【０００１】
本発明は、回線試験装置および回線試験方法に関する。
【背景技術】
【０００２】
伝送装置および伝送システムにおける主信号、すなわち回線の正常性を確認する回線試験に関する技術としては、主信号の通信に影響を与えずにサービス提供中に実行可能なインサービス回線試験機能と、サービス提供前もしくは障害発生時の障害切分け時のようなサービス提供外での使用が想定されるアウトオブサービス回線試験機能が挙げられる。インサービス回線試験機能は主信号のパケットやフレームにおいて監視制御情報を格納するオーバヘッド部や、主信号を格納するペイロード部のパスオーバヘッドのようなデータ領域を使用する回線試験機能であり、主信号に影響を与えないことからサービス提供中の回線試験に用いられる。これに対し、アウトオブサービス回線試験機能は、ペイロード部に試験パターンを挿入するなど、主信号が格納されるデータ領域を用いて行う回線試験機能であって、詳細な測定が実施可能であるが、主信号の通信を遮断する（以下、通信断という）ため、サービス提供中には使用することができない。
【０００３】
一方、トラヒックを冗長化するネットワーク構成としては、例えば、図５、図６、図７にそれぞれ示す三つの構成が挙げられる（例えば、非特許文献１，２参照）。図５は伝送装置側でパス切替を行う形態を有するネットワーク構成（以下、第１のネットワーク構成という）、図６は伝送装置側で二経路化（リング）となっているネットワークであって、クライアント装置でパス切替を行う形態を有するネットワーク構成（以下、第２のネットワーク構成という）、図７は異なる伝送システムに０系パスと１系パスを収容し、伝送装置側で二経路化（リング）となっていないネットワークであって、クライアント装置でパス切替を行う形態を有するネットワーク構成（以下、第３のネットワーク構成という）を示している。
【０００４】
図５に示すように、第１のネットワーク構成は、クライアント装置２２１，２２２間に、クライアント装置２２１，２２２間を接続する伝送装置２０１，２０２，２１２，２０３，２１３，２０４が設けられ、伝送装置２０１，２０４でパス切替を行うことを可能としたネットワークである。伝送装置２０１，２０４はパス終端ノードとしてそれぞれクライアント装置２２１，２２２に接続され、伝送装置２０１，２０４間の０系パスの経路に伝送装置２０２，２０３、１系パスの経路に伝送装置２１２，２１３が配置されている。なお、伝送装置２０１，２０４はそれぞれ二つの端局用ＩＦ部２３１、二つの中継局用ＩＦ部２３２を具備し、伝送装置２０２，２１２，２０３，２１３はそれぞれ一つの中継局用ＩＦ部２３２を具備している。
【０００５】
該第１のネットワーク構成においては、通常時は図５（ａ）に示すように０系パスを介して通信を行い、０系パスの障害（図中、ｘ印で示す）発生時は図５（ｂ）に示すように伝送装置２０１，２０４が０系パスから１系パスへパス切替を行うことによって、１系パスを介して通信を行う。
【０００６】
このような第１のネットワーク構成としては、従来のＳＯＮＥＴ／ＳＤＨリングやＯＡＤＭ（Optical Add-Drop Multiplxer）が考えられる。本構成によれば、パス終端ノードにおいて０系／１系パスから障害を検出するだけでなく、全ノード間でリアルタイムに監視制御情報をそれぞれ時計回り、反時計回りに通信するＯＳＣ（Optical Supervisory Channel）からも障害を検出することが可能である。ＯＳＣで障害検出を行う場合、通信する監視制御情報によって障害発生位置の特定が可能である。
【０００７】
また、第２のネットワーク構成は、図６に示すように、クライアント装置３２１，３２２間に、クライアント装置３２１，３２２間を接続する伝送装置３０１，３０２，３１２，３０３，３１３，３０４が設けられ、クライアント装置３２１，３２２でパス切替を行うことを可能としたネットワークである。伝送装置３０１，３０２，３１２，３０３，３１３，３０４の配置は図５に示した伝送装置２０１，２０２，２１２，２０３，２１３，２０４の配置と同様であり、詳しい説明は省略する。伝送装置３０１，３０４はそれぞれ二つの端局用ＩＦ部３３１を具備し、伝送装置３０２，３１２，３０３，３１３はそれぞれ一つの中継局用ＩＦ部３３２を具備している。
【０００８】
第３のネットワーク構成は、図７に示すように、クライアント装置４２１，４２２間に、クライアント装置４２１，４２２間を接続する伝送装置４０１〜４０４，４１１〜４１４が設けられ、クライアント装置４２１，４２２でパス切替を行なうことを可能としたネットワークである。伝送装置４０１〜４０４は０系パスの経路に配置され、伝送装置４１１〜４１４は１系パスの経路に配置されている。伝送装置４０１，４１１はパス終端ノードとしてクライアント装置４２１に接続され、伝送装置４０４，４１４はパス終端ノードとしてクライアント装置４２２に接続されている。伝送装置４０１，４１１，４０４，４１４はそれぞれ端局用ＩＦ部４３１を具備し、伝送装置４０２，４１２，４０３，４１３はそれぞれ中継局用ＩＦ部４３２を具備している。
【０００９】
第２、第３のネットワーク構成は、伝送装置のＷＤＭ化に伴って増加している構成である。これら二つの構成においては、伝送装置でパス切替を行わず、上述したようにクライアント装置３２１，３２２、クライアント装置４２１，４２２でEnd-to-Endのパス切替を行うため、伝送装置および伝送システムは、接続するクライアント装置に障害が発生したことを伝達する障害伝達機能を具備する必要がある。障害伝達機能は、障害が発生した場合に、下流側の伝送装置におけるクライアント側ＩＦの光出力停止もしくは不正信号送信を行うことにより、クライアント装置に障害発生を通知する機能である。以降、本明細書では、障害発生時に光出力停止を伴う構成について説明するものとする。
【００１０】
第２、第３のネットワーク構成においては、それぞれ通常時は図６（ａ）、図７（ａ）に示すように０系パスを介して通信を行い、０系パスの障害発生時は図６（ｂ）、図７（ｂ）に示すようにクライアント装置３２１，３２２、クライアント装置４２１，４２２が０系パスから１系パスへパス切替を行うことによって、１系パスを介して通信を行う。
【００１１】
図６（ｂ）、図７（ｂ）には、それぞれ障害を検出した伝送装置３０３、伝送装置４０３が伝送装置３０２、伝送装置４０２を介して下流側の伝送装置３０１、伝送装置４０１へ障害発生を通知し、伝送装置３０１、伝送装置４０１がクライアント側ＩＦの光出力停止（図６、図７中、黒点で示す）を行う例を示している。これにより、クライアント装置３２１、クライアント装置４２１は０系パスの障害発生を検出し、通信を行なう回線を０系パスから１系パスに切替えるとともに、クライアント装置３２２、クライアント装置４２２に対して０系パスの障害発生を通知する。クライアント装置３２２、クライアント装置４２２は、クライアント装置３２１、クライアント装置４２１から予備パス等を介して０系パスの障害情報を受信すると、０系パスから１系パスにパス切替を行う。以上により、障害復旧が行われるのである。なお、クライアント装置３２２、クライアント装置４２２は、自身で障害を検出するのではなく、クライアント装置３２１、クライアント装置４２１からの障害通知に基づいてパス切替を行う。
【００１２】
ここで、第２および第３のネットワーク構成における障害伝達機能に対しては、以下に示すような実装方法が考えられる。なお、実現する方法によっては、主信号の障害が発生した位置に対して下流側のクライアント側ＩＦだけではなく、主信号の障害が発生した位置に対して上流側のクライアント側ＩＦにおいても光出力停止を行うことが可能である。
〔方法１〕障害を検出した伝送装置が、オーバヘッド部の情報バイトに障害伝達機能の制御信号を書き込んで送信し、下流側の伝送装置において該制御信号を検出する方法。
〔方法２〕障害を検出した伝送装置の警報（e.g.ＬＯＳ警報）によって下流側の伝送装置に波及する警報（e.g.ＡＩＳ警報）を障害伝達機能のトリガーとする方法。なお、下流側の伝送装置において直接信号の異常を検出し、光出力停止のトリガーとする場合についても本方法に分類する。
〔方法３〕障害を検出した伝送装置が障害発生を示す特定の信号パターンを下流側伝送装置に送信し、下流側の伝送装置において該信号パターンを検出する方法。
〔方法４〕障害を検出した伝送装置が障害発生を示す監視制御（Operation，Administration and Management：ＯＡＭ）用のフレームもしくはパケットを下流側の伝送装置に送信し、下流側の伝送装置において障害伝達機能のトリガーとする方法（ＡＴＭにおけるＡＩＳセル等）。
【００１３】
なお、ペイロード部のパスオーバヘッド等に障害伝達機能の制御信号を書き込んで送信し、下流側の伝送装置において本制御信号を検出する方法も考えられるが、中継局用ＩＦ盤ではパス終端を行い、制御信号を書きこむ必要があるため、現実的ではない。
【００１４】
また、リングネットワーク等におけるＯＳＣによる監視制御情報通信を用いて、障害発生位置を特定し、クライアント側ＩＦの光出力停止を行う方法も考えられるが、図５に示す構成に対しては適用不可であり、根本的手段となり得ない。
【００１５】
本明細書では、上記の障害伝達機能のトリガーとなる制御信号、警報、特定の信号パターン、監視制御用フレームもしくはパケットを総称して障害伝達信号と呼ぶことにする。
【００１６】
次に、図８、図９に基づいて図５乃至図７に示す端局用ＩＦ部２３１，３３１，４３１、中継局用ＩＦ部２３２，３３２，４３２について説明する。図８は回線試験機能を備える端局用ＩＦ部の構成を示すブロック図、図９は回線試験機能を備える中継局用ＩＦ部の構成を示すブロック図である。
【００１７】
端局用ＩＦ部２３１，３３１，４３１はクライアント側ＩＦを有し、クライアント装置に接続される伝送装置（例えば、図６では伝送装置３０１，３０４）に実装されるＩＦ部であり、図８に示すように、クライアント装置に対する処理を行なう光信号受信部３１ａ、光信号送信部３１ｂ、クライアント信号受信処理部３１ｃ、クライアント信号送信処理部３１ｄ、さらに伝送装置に対する処理を行なう光信号送信部３１ｇ、光信号受信部３１ｈ、伝送信号送信処理部３１ｉ、伝送信号受信処理部３１ｊ、試験信号挿入部３１ｋ、試験信号分離／折返し部３１ｌ、そしてこれらを監視制御する監視制御部３１ｍから構成される。
【００１８】
また、中継局用ＩＦ部２３２，３３２，４３２は伝送信号を中継する伝送装置（例えば、図６では伝送装置３０２，３０３，３１２，３１３）に実装されるＩＦ部であり、図９に示すように、両端の伝送装置に対する処理を行なう光信号受信部３２ａ，３２ｈ、光信号送信部３２ｂ，３２ｇ、伝送信号受信処理部３２ｃ，３２ｊ、伝送信号送信処理部３２ｄ，３２ｉ、試験信号分離／折返し部３２ｅ，３２ｌ、試験信号挿入部３２ｆ，３２ｋと、そしてこれらを監視制御する監視制御部３２ｍから構成される。
【００１９】
光信号受信部３１ａ，３１ｈ，３２ａ，３２ｈは、クライアント装置もしくは伝送装置から受信した光信号を光−電気信号変換し、電気信号処理に適した信号形式に変換するとともに、障害検出をおこなう機能部である。
【００２０】
光信号送信部３１ｂ，３１ｇ，３２ｂ，３２ｇは、それぞれクライアント信号送信処理部３１ｄ、伝送信号送信処理部３１ｉ，３２ｄ，３２ｉから転送される電気信号を電気−光変換により、適切な光信号出力や波形をもつ光信号に変換して送信する機能部である。
【００２１】
クライアント信号受信処理部３１ｃは、クライアント装置側の光信号受信部３１ａより転送されるクライアント信号に対して、パケットやフレームの検出、制御信号の読み出し、障害の検出を行い、必要に応じてクライアント信号の終端を行う機能部である。
【００２２】
クライアント信号送信処理部３１ｄは、クライアント信号として必要な制御情報を付加し、適切なフレーム形式もしくはパケット形式となるようにオーバヘッド部やペイロード部の組み立てを行い、適切な信号フォーマットへ変換する機能部である。
【００２３】
伝送信号受信処理部３１ｊ，３２ｃ，３２ｊは、それぞれ伝送装置側の光信号受信部３１ｈ，３２ａ，３２ｈより転送される伝送信号に対して、パケットやフレームの検出、制御信号の読み出し、障害の検出を行い、必要に応じて伝送信号の終端を行う機能部である。
【００２４】
伝送信号送信処理部３１ｉ，３２ｄ，３２ｉは、伝送信号として必要な制御情報を付加し、適切なフレーム形式もしくはパケット形式となるようにオーバヘッド部やペイロード部の組み立てを行い、適切な信号フォーマットへ変換する機能部である。
【００２５】
試験信号挿入部３１ｋ，３２ｆ，３２ｋは、試験パターン、および挿入した試験パターンに対する演算結果を試験信号として挿入する機能部である。なお、一般的に、試験パターンは主信号のペイロード部に格納し、演算結果は伝送信号処理部において制御信号として付加される。
【００２６】
試験信号分離／折返し部３１ｌ，３２ｅ，３２ｌは、受信した試験信号の分離もしくは折返しを行い、分離部においては受信した試験パターンに対して演算を行い、この演算結果と、挿入装置における演算結果とを比較することによって回線試験の正常性の確認を行う機能部である。
【００２７】
伝送装置がそれぞれの用途に応じて端局用ＩＦ部または中継局用ＩＦ部を備えることにより、回線試験を実行することが可能となる。
【００２８】
【非特許文献１】ITU-T Reccommendation G.707、「9.Overhead bytes description」、2003年12月1日、p.73-94
【非特許文献２】ITU-T Reccommendation G.709、「15.Overhead description」、2003年3月1日、p.27-51
【発明の開示】
【発明が解決しようとする課題】
【００２９】
しかしながら、図４、図５に示すようなクライアント装置によりEnd-to-Endでパス切替を行うネットワーク構成においては、アウトオブサービス回線試験機能が障害伝達信号の妨げとなり、サービス断を生じさせる場合がある。
【００３０】
図１０にアウトオブサービス回線試験機能が障害伝達信号の妨げとなる事例を示す。なお、図１０に示すネットワーク構成は、図５に示し上述した第３のネットワーク構成と同一である。以下、図５に示し上述した構成要素と同一のものについては同一符号を付し、重複する説明は適宜省略する。
【００３１】
図１０に示すネットワーク構成は、０系パスの経路に四つの伝送装置４０１〜４０４、１系パスの経路に四つの伝送装置４１１〜４１４が配置され、クライアント装置４２１，４２２においてパス切替を行うネットワークである。該ネットワーク構成において、０系パスの伝送装置４０４から伝送装置４０３へ信号を伝達する経路に障害、例えばファイバカットが発生した場合を想定すると、図７（ｂ）に示し上述したように、障害伝達機能により伝送装置４０１のクライアント側ＩＦが光出力を停止されるため、クライアント装置４２１，４２２が０系パスから１系パスへパス切替を行い、障害復旧が行われる。
【００３２】
このような状態において、保守者が障害切り分け作業によって障害発生箇所を特定するために伝送装置４０２と伝送装置４０３の間でアウトオブサービス回線試験を実施した場合を想定する。該回線試験は、伝送装置４０２において挿入された試験信号を伝送装置４０３へ送信し、伝送装置４０３において試験信号を伝送装置４０２へ折り返し送信し、伝送装置４０２において試験信号を分離するものである。
【００３３】
伝送装置４０３は、伝送装置４０２から受信した試験パターンを折り返して再び伝送装置４０２へ送信する構成となっているため、伝送装置４０４から受信したパケットもしくはフレームのペイロード部に格納されたデータは伝送装置４０２へは送信されない。この場合、上記〔方法３〕、〔方法４〕による障害伝達機能では、パケットもしくはフレームのペイロード部のデータが破棄されるため、下流側の伝送装置４０１へ障害発生を伝達できない。すなわち、図１０中、白点で示すように伝送装置４０１のクライアント側ＩＦの光出力停止を行うことができない。
【００３４】
さらに、アウトオブサービス回線試験機能は、主信号の通信断を前提とした回線試験機能であるため、回線試験機能以外の機能が一部制限されるなど、正常な運用状態と比較して以下のような事象が発生する可能性がある。
【００３５】
例えば、警報に関する事象として、以下のような事象が発生する可能性がある。
（１）転送されるべき警報が転送されず、警報が一時的に回復したように見える。
（２）試験信号挿入／分離／折り返しに伴うクロックの切替や、挿入する試験パターンを不正データと判断することなどによって、試験に伴う不要な警報が発生、通知される。
【００３６】
また、制御信号に関する事象として、以下のような事象が発生する可能性がある。
（３）転送されるべき制御情報が転送されない。
（４）試験機能以外に関する情報バイトへのデータの書込み禁止や読出し停止が発生する。
（５）通常時は別目的で使用されている一部の情報バイトがアウトオブサービス回線試験機能の情報バイトとして使用され、強制的に特定のビットパターンに書換えられる。
（６）折返し装置において、試験結果に影響のない情報バイトの制御バイトをそのまま折り返したり、制御バイトを削除してそのまま下流側装置へ送信する。
【００３７】
したがって、上記〔方法１〕〜〔方法４〕のいずれによる障害伝達機能においても、障害伝達信号が遮断され、下流側の伝送装置へ障害伝達ができなくなる可能性がある。一般的には、上記の事象は折返し装置において発生する場合が多く見られる。
【００３８】
図１１に、アウトオブサービス回線試験機能が障害伝達信号の妨げとなる二つ目の事例を示す。図１１に示すネットワーク構成は、０系パスの経路に六つの伝送装置５０１〜５０６、１系パスの経路に六つの伝送装置５１１〜５１６が配置され、クライアント装置５２１，５２２においてパス切替を行うネットワークである。このようなネットワークにおいて、０系パスの伝送装置５０４から伝送装置５０３へ信号を伝達する経路において図中にｘ印で示すように障害、例えばファイバカットが発生した場合、図１１（ａ）に示すように、障害伝達機能により伝送装置５０１のクライアント側ＩＦ、伝送装置５０６のクライアント側ＩＦが光出力停止されるため、クライアント装置５２１，５２２は０系パスから１系パスへパス切替を行い、障害復旧が行われる。
【００３９】
このような状態において、障害切分けを行うために障害発生箇所をはさみこむように、伝送装置５０１及び伝送装置５０２間、伝送装置５０５及び伝送装置５０６間でアウトオブサービス回線試験を行った場合、図１１（ｂ）に示すように、クライアント装置５２１及びクライアント装置５２２において障害伝達機能が実現されない状態となり、クライアント側ＩＦの光出力停止が解除される（図中、白点で示す）おそれがある。本事例によれば、障害が発生した経路（図１１において、クライアント装置５２２からクライアント装置５２１へ向かう０系パスの経路）とは反対方向の経路の下流側に位置するクライアント装置５２２側のクライアント側ＩＦの光出力停止を実行していた場合においても、障害伝達機能を実現できなくなってしまう場合があることが分かる。
【００４０】
以上に示したように、クライアント装置５２１，５２２によりEnd-to-Endでパス切替を行うネットワーク構成においては、アウトオブサービス回線試験機能により障害伝達信号が妨げられ、クライアント側ＩＦの光出力停止が解除される事象が発生することが考えられる。そして、例えば０系パスの障害時にアウトオブサービス回線試験を実行し、クライアント装置５２１，５２２が回線試験実行中に０系パスの障害が回復したと誤判断すると、クライアント装置５２１，５２２において１系パスから障害が発生している０系パスへとパスの切戻しが行われ、主信号の通信断（サービス断）を生じさせてしまうという問題が考えられる。
【００４１】
このようなことから本発明は、主信号の通信断を引き起こすことなくアウトオブサービス回線試験を実行可能な回線試験装置および回線試験方法を提供することを目的とする。
【課題を解決するための手段】
【００４２】
上記の課題を解決するための第１の発明に係る回線試験方法は、試験信号をデータ領域に挿入可能である一方、前記試験信号をデータ領域から分離可能である挿入／分離装置として設定される伝送装置と、前記挿入／分離装置に直列に接続され、前記挿入／分離装置から送信された前記試験信号を折返して前記挿入／分離装置へ送信可能である折返し装置として設定される伝送装置との間で試験信号を送受し伝送装置区間内の回線試験を行なう回線試験方法において、回線試験の実行前に予め回線試験を実行するパスの両端に位置する伝送装置のクライアント側ＩＦの光出力停止又は不正信号送信による出力制御を行ない、回線試験終了後に前記クライアント側ＩＦの光出力停止又は不正信号送信による出力制御を解除することを特徴とする。
【００４３】
第２の発明に係る回線試験方法は、第１の発明において、前記伝送装置と通信可能に構成され、全パスのデータ、及び各パスに属する伝送装置、ＩＦ、入出力ポートのデータを蓄積するパス管理データベース部と、パス管理データベースを参照しながら回線試験を実行可能な回線試験制御部と、各伝送装置と通信するための装置通信部とを具備するオペレーションシステムから、回線試験を実行するパスのクライアント側ＩＦを有する伝送装置に対して、回線試験実行前にクライアント側ＩＦの光出力停止の要求を送信することによって前記クライアント側ＩＦの光出力を停止し、回線試験終了後に、前記オペレーションシステムから、前記クライアント側ＩＦを有する伝送装置に対して前記クライアント側ＩＦの光出力停止の解除の要求を送信することによってクライアント側ＩＦの光出力の停止を解除し、回線試験中におけるクライアント側ＩＦの光出力停止もしくは不正信号送信による出力制御を行なうことを特徴とする。
【００４４】
第３の発明に係る回線試験方法は、第１の発明において、回線試験の実行前に、回線試験を実行する伝送装置から試験信号の受信方向に対して下流側に向かって制御信号を送信して回線試験を実行するパスの両端に位置する伝送装置のクライアント側ＩＦの光出力を停止し、回線試験終了後に、前記回線試験を実行する伝送装置による制御信号の送信を停止して回線試験を実行するパスの両端に位置する伝送装置のクライアント側ＩＦの光出力停止を解除し、回線試験中におけるクライアント側ＩＦの光出力停止もしくは不正信号送信による出力制御を行なうことを特徴とする。
【００４５】
第４の発明に係る回線試験装置は、ネットワーク間を接続する複数の伝送装置を有し、試験信号をデータ領域に挿入可能である一方、前記試験信号をデータ領域から分離可能である挿入／分離装置として設定される伝送装置と、前記挿入／分離装置に直列に接続され、前記挿入／分離装置から送信された前記試験信号を折返して前記挿入／分離装置へ送信可能である折返し装置として設定される伝送装置との間で試験信号を送受してアウトオブサービス回線試験を行なう回線試験装置において、回線試験の実行前に、クライアント側ＩＦを有する伝送装置に対して、前記クライアント側ＩＦの光出力停止もしくは不正信号送信による出力制御を要求し、回線試験の終了後に、前記クライアント側ＩＦを有する伝送装置に対して、前記クライアント側ＩＦの光出力停止もしくは不正信号送信による出力制御の解除を要求する制御手段を具備することを特徴とする。
【００４６】
第５の発明に係る回線試験装置は、第４の発明において、前記制御手段として、全パスのデータ、及び各パスに属する伝送装置、ＩＦ、入出力ポートのデータを蓄積するパス管理データベース部と、パス管理データベースを参照しながら回線試験を実行可能な回線試験制御部と、各伝送装置と通信するための装置通信部とを具備し、前記伝送装置とそれぞれ通信可能であって、回線試験を実行する前にクライアント側ＩＦを有する伝送装置に対してクライアント側ＩＦの光出力停止を要求として送信し、アウトオブサービス回線試験中は前記挿入／分離装置及び前記折返し装置に対して回線試験実行の要求を送信し、アウトオブサービス回線試験終了後は前記クライアント側ＩＦを有する伝送装置に対してクライアント側ＩＦの光出力停止の解除を要求として送信するオペレーションシステムを備えたことを特徴とする。
【００４７】
第６の発明に係る回線試験装置は、第４の発明において、前記制御手段が、前記挿入／分離装置、及び、前記折返し装置に該当する伝送装置に設けられ、前記挿入／分離装置、及び、前記折返し装置に該当する伝送装置を、回線試験の実行前においては、それぞれ、試験信号の受信方向に対して下流側に位置する伝送装置に向かって、回線試験を行なうパスの両端に位置する伝送装置のクライアント側ＩＦの光出力停止を要求する制御信号を送信し、回線試験の終了後においては、それぞれ、試験信号の受信方向に対して下流側に位置する伝送装置に向かって、回線試験を行なうパスの両端に位置する伝送装置のクライアント側ＩＦの光出力停止の解除を要求する制御信号を送信するように制御することを特徴とする。
【発明の効果】
【００４８】
本発明によれば、クライアント装置でのパス切替によりトラヒックの冗長化を行うネットワークにおいて、アウトオブサービス回線試験を実行中のパスをクライアント装置が選択することがなくなるため、主信号の通信断、すなわちサービス断を引き起こすことなく、回線試験を実行できる。
【発明を実施するための最良の形態】
【００４９】
〔第１の実施形態〕
以下に、本発明の第１の実施形態を詳細に説明する。
本実施形態は、伝送装置および伝送システムにおける回線の正常性を確認するアウトオブサービス回線試験を行なう際、伝送装置を監視制御するオペレーションシステム（ＯＳ）と端局用ＩＦ部を有する伝送装置との間において通信を行い、アウトオブサービス回線試験の実行中はオペレーションシステムから伝送装置にクライアント側ＩＦの光出力停止を要求し、実行するものである。
【００５０】
本実施例において、オペレーションシステムは、全パスのデータ、及び各パスに属する伝送装置、ＩＦ、入出力ポートのデータを蓄積するパス管理データベース部と、パス管理データベースを参照しながら回線試験を実行可能な回線試験制御部と、各伝送装置と通信するための装置通信部とを具備し、以下の処理を行なう。
【００５１】
すなわち、保守者が任意のパスに対して一連のアウトオブサービス回線試験を実行する場合に、パス管理データベースの検索により該当パスのクライアント側ＩＦを有する伝送装置、ＩＦ、入出力ポートを特定し、該当する伝送装置に対して試験実行前にクライアント側ＩＦの光出力停止を要求として送信する。また、試験完了後は該当する伝送装置に対してクライアント側ＩＦの光出力停止の解除を要求として送信する。
【００５２】
一方、クライアント側ＩＦを有する伝送装置は、オペレーションシステムと通信するためのオペレーションシステム通信部、及び端局用ＩＦ部を具備し、以下の処理を行なう。
【００５３】
すなわち、オペレーションシステム通信部からクライアント側ＩＦの光出力停止の要求を受信した場合、端局用ＩＦ部においてクライアント側ＩＦの光出力停止を実行し、オペレーションシステム通信部を介して光出力停止の実行完了をオペレーションシステムに応答として送信する。
【００５４】
また、オペレーションシステム通信部からクライアント側ＩＦの光出力停止の解除の要求を受信した場合、端局用ＩＦ部においてクライアント側ＩＦの光出力停止の解除を実行し、オペレーションシステム通信部を介して光出力停止の解除の実行完了をオペレーションシステムに応答として送信する。
【００５５】
本実施形態によれば、アウトオブサービス回線試験を実行する場合には、オペレーションシステムと伝送装置との通信によりパスの両端に位置する伝送装置のクライアント側ＩＦにおいて光出力停止を実行でき、かつ試験完了後、アウトオブサービス回線試験に伴う光出力停止を解除することが可能となる。また、これにより、クライアント装置は、他に正常なパスを選択できる場合は、アウトオブサービス回線試験を行なうパスを選択しないため、End-to-Endでの主信号の通信断（サービス断）を回避しながら回線試験を実行することができる。
【００５６】
〔第２の実施形態〕
本発明の第２の実施形態を説明する。本実施形態は、アウトオブサービス回線試験の実行中、試験信号の折返し装置および分離装置として作用する伝送装置から、それぞれ受信した試験信号の進行方向に対して下流側へ障害伝達信号を送信することにより、クライアント側ＩＦの光出力を停止するものである。
【００５７】
本実施形態において、両側に伝送装置が接続され、上流側の伝送装置から送信される主信号を受信する光信号受信部と、光信号受信部において受信した信号から障害伝達信号を検出可能な伝送信号受信処理部と、試験信号の分離または折返しが可能な試験信号分離／折返し部と、試験信号の挿入が可能な試験信号挿入部と、障害伝達信号を書き込み可能な伝送信号送信処理部と、主信号と共に試験信号及び障害伝達信号を下流側の伝送装置へ送信する光信号送信部と、そしてこれらを監視制御できる監視制御部とを具備する中継局用ＩＦ部を有する伝送装置は、以下の処理を行なう。
【００５８】
すなわち、該中継局用ＩＦ部を有する伝送装置が、一連のアウトオブサービス回線試験の試験区間において折返し装置に位置づけられる場合、試験実行中は、試験信号の受信方向に対して下流側の伝送装置に障害伝達信号を送信する。また、試験終了時は、障害伝達信号の送信を停止し、上流側の伝送装置から受信する主信号フレームを下流側の伝送装置に送信する。
【００５９】
さらに、上記の中継局用ＩＦ部を有する伝送装置が、一連のアウトオブサービス回線試験の試験区間において試験信号の挿入／分離装置に位置づけられる場合は、試験信号の受信方向に対して下流側の伝送装置に障害伝達信号を送信する。また、試験終了時は障害伝達信号の送信を停止し、上流側の伝送装置から受信する主信号フレームを下流側の伝送装置に送信する。
【００６０】
ただし、障害伝達信号が、結果的にクライアント側ＩＦを有する伝送装置に転送されるのであれば、いずれの伝送装置から障害伝達信号の書き込みを行ってもよい。さらに、クライアント側ＩＦの出力停止を行えるのであれば、障害伝達信号以外の制御情報を下流側の伝送装置に送信することでも実現が可能である。
【００６１】
なお、端局用ＩＦ部を具備する伝送装置が、折り返し装置もしくは挿入／分離装置に位置づけられる場合、試験設定の要求の受信をトリガーとして、クライアント側ＩＦの光出力停止を行う。
【００６２】
以上より、アウトオブサービス回線試験を実行したパスの両端のクライアント側ＩＦにおいて試験実行中は光出力停止を実行でき、かつ試験完了後、アウトオブサービス回線試験に伴う光出力停止を解除することが可能となる。また、これにより、クライアント装置は、他に正常なパスを選択できる場合は、アウトオブサービス回線試験を実行しているパスを選択しないため、End-to-Endでの主信号の通信断（サービス断）を回避しながら回線試験を実行することができる。
【実施例１】
【００６３】
図１及び図２に基づき、本発明の第１の実施例を詳細に説明する。図１は本実施例に係る回線試験装置の一部の構成を示す説明図、図２は本実施例に係る回線試験装置におけるオペレーションシステムと伝送装置間の通信例を示す説明図である。
【００６４】
図１に示すように、クライアント装置２１，２２間に伝送装置０１〜０４，１１〜１４が設けられている。伝送装置０１〜０４，１１〜１４は、これら伝送装置０１〜０４，１１〜１４を監視制御するオペレーションシステム４０と通信可能に構成され、伝送装置０１〜０４はクライアント装置２１，２２間の０系パスに、伝送装置１１〜１４はクライアント装置２１，２２間の１系パスに配設されている。本実施例においては、クライアント装置２１，２２においてパス切替が可能となっている。
【００６５】
伝送装置０１，１１はクライアント装置２１と接続され、伝送装置０４，１４はクライアント装置２２と接続されている。本実施例は、０系パスでアウトオブサービス回線試験を行なう例であり、試験信号の挿入／分離装置を伝送装置０２、折返し装置を伝送装置０３とする。
【００６６】
伝送装置０１，０２，０３，０４は、それぞれ端局用ＩＦ部３１−１、中継局用ＩＦ部３２−１、中継局用ＩＦ部３２−２、端局用ＩＦ部３１−２を備えると共に、オペレーションシステムと通信可能に設定されたオペレーションシステム通信部（ＯＳ通信部）３３−１，３３−２，３３−３，３３−４を備えている。伝送装置１１，１２，１３，１４についても同様に、それぞれ端局用ＩＦ部３１−３、中継局用ＩＦ部３２−３、中継局用ＩＦ部３２−４、端局用ＩＦ部３１−４を備えると共に、図示しないオペレーションシステム通信部を備えている。
【００６７】
なお、端局用ＩＦ部３１−１〜３１−４は、各々図８に示し上述した端局用ＩＦ部と同様の構成を有し、中継局用ＩＦ部３２−１〜３２−４は、各々図９に示し上述した中継局用ＩＦ部と同様の構成を有するものとし、詳しい説明は省略する。
【００６８】
オペレーションシステム４０は、パス管理データベース部４１、回線試験制御部４２、装置通信部４３を備えている。パス管理データベース部４１は、全パスのデータ、及び各パスに属する伝送装置、ＩＦ、入出力ポートのデータを蓄積する機能を備え、回線試験制御部４２と通信可能に構成されている。回線試験制御部４２と装置通信部４３とは、相互に情報を伝達可能に構成され、回線試験制御部４２はパス管理データベースを参照しながらアウトオブサービス回線試験を実行する機能を備え、装置通信部４３は、オペレーションシステム通信部３３−１〜３３−４等へアウトオブサービス回線試験を指示可能に構成されている。
【００６９】
以下に、図１中、符号５１〜５８に示す本実施例における装置通信部４３とオペレーションシステム通信部３３−１〜３３−４との間の通信について詳細に説明する。図２に示すように、装置通信部４３とオペレーションシステム通信部３３−１〜３３−４との間においては、次の要求及び応答を送受する通信を行なう。
【００７０】
すなわち、オペレーションシステム４０と対応する伝送装置間において、（ａ）クライアント側ＩＦの光出力停止の実行、（ｂ）試験設定（試験信号の挿入／折返し／分離）および試験開始、（ｃ）試験完了および試験設定の解除、（ｄ）クライアント側ＩＦの光出力停止の解除の実行について、装置通信部４３からオペレーションシステム通信部３３−１〜３３−４のうちの該当する通信部へ要求を送信し、要求を受信したオペレーションシステム通信部から装置通信部４３へ応答を送信するといった通信を順次行う。
【００７１】
詳述すると、まず、装置通信部４３から伝送装置０１，０４のオペレーションシステム通信部３３−１，３３−４へ、クライアント側ＩＦの光出力停止の要求を行なう（要求１）。オペレーションシステム通信部３３−１，３３−４は、端局用ＩＦ部３１−１，３１−２と通信を行い、クライアント側ＩＦの光出力を停止し、光出力停止の完了を装置通信部４３へ送信する（応答１）。
【００７２】
次に、装置通信部４３から伝送装置０３のオペレーションシステム通信部３３−３へ試験信号の折り返し設定の要求を行なう（要求２）。オペレーションシステム通信部３３−３は、中継局用ＩＦ部３２−２と通信を行い、試験信号の折り返し設定を行い、設定完了を装置通信部４３へ送信する（応答２）。
【００７３】
次に、装置通信部４３から伝送装置０２のオペレーションシステム通信部３３−２へ試験信号の挿入／分離設定及び試験開始の要求を行なう（要求３）。オペレーションシステム通信部３３−２は、中継局用ＩＦ部３２−１と通信を行い、試験信号の挿入／分離設定を行い、試験を開始して、試験が完了すれば、試験結果と共に試験の完了を装置通信部４３へ送信する（応答３）。
【００７４】
次に、装置通信部４３から伝送装置０３のオペレーションシステム通信部３３−３へ試験信号の折り返し設定の解除を要求する（要求４）。オペレーションシステム通信部３３−３は、中継局用ＩＦ部３２−２と通信を行い、試験信号の折り返し設定を解除し、解除完了を装置通信部４３へ送信する（応答４）。
【００７５】
次に、装置通信部４３から伝送装置０１，０４のオペレーションシステム通信部３３−１，３３−４へ、クライアント側ＩＦの光出力停止の解除を要求する（要求５）。オペレーションシステム通信部３３−１，３３−４は、端局用ＩＦ部３１−１，３１−２と通信を行い、クライアント側ＩＦの光出力停止を解除し、解除完了を装置通信部４３へ送信する（応答５）。
【００７６】
本実施例によれば、上述したようにオペレーションシステム４０と伝送装置０１〜０４間で通信を行いつつ回線試験を実行することにより、End-to-Endで主信号の断（サービス断）を伴うことなく、回線試験を実行することができる。
【実施例２】
【００７７】
図３及び図４に基づき、本発明の第２の実施例を詳細に説明する。図３は本実施例に係る回線試験装置の構成を示す説明図、図４は図１に示すオペレーションシステムと伝送装置間の通信例を示す説明図である。なお、本実施例に係る回線試験装置は、例えば図７（ａ）に示し上述した回線試験装置における伝送装置４０１〜４０４に変えて、図１に示す伝送装置１０１〜１０４を用いるものであり、その他の構成は図７（ａ）に示す構成と同様とする。また、端局用ＩＦ部３１、中継局用ＩＦ部３２の構成はそれぞれ図８、図９に示した構成と概ね同様であり、図４において図８、図９に示したものと実質的に同一の作用を奏するものには同一符号を付している。また、図７に示し上述した部材と同一の部材には同一符号を付し、重複する説明は適宜省略する。
【００７８】
図３に示す伝送装置１０１〜１０４は、図示しない二つのクライアント装置間に設けられているものであって、クライアント装置と接続する伝送装置が伝送装置１０１，１０４であり、試験信号の挿入／分離装置が伝送装置１０２、折返し装置が伝送装置１０３である。本実施例におけるネットワーク構成では、パス切替はクライアント装置において行なわれる。伝送装置１０１〜１０４はそれぞれ端局用ＩＦ部３１または中継局用ＩＦ部３２を備え、クライアント装置間の０系パスの経路に配置されているものとする。
【００７９】
以下、本実施例において回線試験を実行する際の伝送装置１０１〜１０４における処理について説明する。なお、図４において監視制御部は図示を省略した。
【００８０】
図３及び図４に示すように、試験信号の折返し設定を行う伝送装置１０３は、アウトオブサービス回線試験の折返し設定を行う前に、伝送信号送信処理部３２ｉにおいて空フレームに障害伝達信号を付加し、該空フレームを光信号送信部３２ｇから伝送装置１０４に送信する。伝送装置１０４は光信号受信部３１ｈで空フレームを受信し、伝送信号受信処理部３１ｊにおける障害伝達信号の検出に基づいてクライアント側ＩＦの光出力停止を行う。
【００８１】
また、試験信号を分離する伝送装置１０２は、アウトオブサービス回線試験の開始前であって試験信号の分離設定を行う前に、伝送信号送信処理部３２ｄにおいて空フレームに障害伝達信号を付加し、該空フレームを光信号送信部３２ｂから伝送装置１０１に送信する。伝送装置１０１は光信号受信部３１ｈで空フレームを受信し、伝送信号受信処理部３１ｊによる障害伝達信号の検出に基づき、クライアント側ＩＦの光出力停止を行う。
【００８２】
このようにして伝送装置１０１，１０４においてクライアント側ＩＦの光出力停止を行なった後、伝送装置１０２，１０３間においてアウトオブサービス試験を実行する。
【００８３】
そして、アウトオブサービス回線試験完了後、試験信号の折返し設定を行う伝送装置１０３と試験信号を分離する伝送装置１０２は、それぞれ伝送信号送信処理部３２ｉ、３２ｄにおいて障害伝達信号の送信を停止する。これにより、伝送装置１０１，１０４において障害伝達信号が検出されないために、クライアント側ＩＦの光出力停止が解除される。
【００８４】
本実施例によれば、アウトオブサービス回線試験の実行中に、パス両端のクライアント側ＩＦの光出力停止を実行し、アウトオブサービス回線試験終了後にクライアント側ＩＦの光出力停止を解除する構成としたことにより、主信号の通信断を引き起こすことなくアウトオブサービス回線試験を実行することができる。
【産業上の利用可能性】
【００８５】
本発明は、クライアント装置におけるパス切替によりトラヒックを冗長化するネットワークにおいてアウトオブサービス回線試験を行う回線試験装置および回線試験方法に利用可能である。
【図面の簡単な説明】
【００８６】
【図１】本発明の実施例１に係るアウトオブサービス回線試験装置の構成を部分的に示す説明図である。
【図２】本発明の実施例１に係るオペレーションシステムと伝送装置間の通信例を示す説明図である。
【図３】本発明の実施例２に係るアウトオブサービス回線試験の解決手段を部分的に示す説明図である。
【図４】本発明の実施例２に係る伝送装置間の通信例を示す説明図である。
【図５】トラヒックを冗長化する第１のネットワーク構成を示す説明図である。
【図６】トラヒックを冗長化する第２のネットワーク構成を示す説明図である。
【図７】トラヒックを冗長化する第３のネットワーク構成を示す説明図である。
【図８】端局用ＩＦ部の構成を示すブロック図である。
【図９】中継局用ＩＦ部の構成を示すブロック図である。
【図１０】アウトオブサービス回線試験機能が障害伝達機能の妨げとなる事例を示す説明図である。
【図１１】アウトオブサービス回線試験機能が障害伝達機能の妨げとなる他の事例を示す説明図である。
【符号の説明】
【００８７】
０１〜０４，１１〜１４，１０１〜１０４  伝送装置
２１，２２  クライアント装置
３１，３１−１，３１−２  端局用ＩＦ部
３２，３２−１，３２−２  中継局用ＩＦ部
３１ａ，３１ｈ，３２ａ，３２ｈ  光信号受信部
３１ｂ，３１ｇ，３２ｂ，３２ｇ  光信号送信部
３１ｃ  クライアント信号受信処理部
３１ｄ  クライアント信号送信処理部
３１ｊ，３２ｃ，３２ｊ  伝送信号受信処理部
３１ｉ，３２ｄ，３２ｉ  伝送信号送信処理部
３１ｋ，３２ｆ，３２ｋ  試験信号挿入部
３１ｍ，３２ｍ  監視制御部
３３−１〜３３−４  オペレーションシステム通信部
４０  オペレーションシステム
４１  パス管理データベース部
４２  回線試験制御部
４３  装置通信部
【図１】
2008244715.tif 000003
【図２】
2008244715.tif 000004
【図３】
2008244715.tif 000005
【図４】
2008244715.tif 000006
【図５】
2008244715.tif 000007
【図６】
2008244715.tif 000008
【図７】
2008244715.tif 000009
【図８】
2008244715.tif 000010
【図９】
2008244715.tif 000011
【図１０】
2008244715.tif 000012
【図１１】
2008244715.tif 000013